(57)【要約】【課題】足浴器内に取付けられるポンプ駆動用モータの騒音が大幅に低減し、且つ取付作業が極めて容易に出来るようにした足浴器用ポンプの構造を提供する。【解決手段】下蓋１と、回転ディスク２と、上蓋３と、モータ４とから構成される足浴器用ポンプの構造において、前記下蓋１は、一体成形され窪んだ下蓋体であり、前記回転ディスク２は、下蓋体１１及び上蓋体３１間の内部空間に設置され、反転した山状を呈するディスク体２１であり、前記ディスク体２１の下面には長羽根２２と短羽根２３とが交互に配列してあり、その中心の最底部となる突起２４が下蓋にある窪み１２内に挿入することができ、前記上蓋は、一体成形される上蓋体３１で構成した。【選択図】図１
0003109237.tif 000002
【実用新案登録請求の範囲】
【請求項１】
下蓋と、回転ディスクと、上蓋と、モータとから構成される足浴器用ポンプの構造において、
前記下蓋は、一体成形され窪んだ下蓋体であり、前記下蓋体の内部には窪みが設けてあり、前記窪みの内部には止め片が複数個所に設けてあり、前記止め片の中央には貫通した流通孔が開設してあり、その外周面には固定孔が複数個所に設けてあり、ボルトが固定孔を挿通して上蓋にある固定用突起に螺着することができ、前記下蓋の側端には流体の通路とする下半円形孔が設けてあり、
前記回転ディスクは、下蓋体と上蓋体との内部に設置され、反転した山状を呈するディスク体であり、前記ディスク体の下面には長羽根と短羽根とが交互に配列してあり、その中心の最底部となる突起を下蓋にある窪み内に挿入することができ、
前記上蓋は、一体成形される上蓋体であり、その内部の下端には収容された流体が流動可能な裏溝が設けてあり、前記裏溝の内部には一つの突起が設けてあり、前記突起の内部には貫通孔が開設してあり、前記貫通孔の周囲には楕円形孔が複数個所に設けてあり、前記裏溝の側端には上半円形孔が設けてあり、前記上半円形孔は下蓋にある下半円形孔と結合して円形断面の流路になり、上蓋体の上端には下蓋体の上端にある溝と嵌合するための筋状突起が設けてあり、前記上蓋の外端には下蓋にある固定孔と螺合し固定するための固定用突起が複数個所に設けてあることを特徴とする足浴器用ポンプの構造。
【考案の詳細な説明】
【技術分野】
【０００１】
本考案は足浴器用ポンプの構造に係り、特に、足浴器内に取付けられるポンプ駆動用モータの騒音を大幅に低減し、且つ取付作業が極めて容易に出来るようにした足浴器用ポンプの構造に関するものである。
【背景技術】
【０００２】
従来の足浴器は、足浴器の水盛り容器にお湯を注ぎ入れてから、モータによって駆動されるポンプから湯を足裏に噴射させることにより、按摩効果を発揮させるものであるが、モータの運転により大きな騒音が発生し、使用者に不快な気分を与える。
【考案の開示】
【考案が解決しようとする課題】
【０００３】
本考案の主な目的は、足浴器内に取付けられるポンプ駆動用モータの騒音が大幅に低減され、且つ取付作業が極めて容易に出来るようにした足浴器用ポンプの構造を提供する。
【課題を解決するための手段】
【０００４】
上記目的を達成するためになされた本願の考案は、下蓋と、回転ディスクと、上蓋と、モータとから構成される足浴器用ポンプの構造において、前記下蓋は、一体成形され窪んだ下蓋体であり、前記下蓋体の内部には窪みが設けてあり、前記窪みの内部には止め片が複数個所に設けてあり、前記止め片の中央には貫通した流通孔が開設してあり、その外周面には固定孔が複数個所に設けてあり、ボルトが固定孔を挿通して上蓋にある固定用突起に螺着することができ、前記下蓋の側端には流体の流路とする下半円形孔が設けてあり、前記回転ディスクは、下蓋体と上蓋体との内部に設置され、反転した山状を呈するディスク体であり、前記ディスク体の下面には長羽根と短羽根とが交互に配列してあり、その中心の最底部となる突起を下蓋にある窪み内に挿入することができ、前記上蓋は、一体成形される上蓋体であり、その内部の下端には収容された流体が流動可能な裏溝が設けてあり、前記裏溝の内部には一つの突起が設けてあり、前記突起の内部には貫通孔が開設してあり、前記貫通孔の周囲には楕円形孔が複数個所に設けてあり、前記裏溝の側端には上半円形孔が設けてあり、前記上半円形孔は下蓋にある下半円形孔と結合して円形断面の流路になり、上蓋体の上端には下蓋体の上端にある溝と嵌合するための筋状突起が設けてあり、前記上蓋の外端には下蓋にある固定孔と螺合し固定するための固定用突起が複数個所に設けてあることを特徴とする足浴器用ポンプの構造であることを要旨としている。
【考案の効果】
【０００５】
本考案に係る足浴器用ポンプの構造によれば、足浴器内に取付けられるポンプ駆動用のモータの騒音が大幅に低減し、取付作業が極めて容易になる。
【考案を実施するための最良の形態】
【０００６】
以下、添付図面を参照して本考案の好適な実施の形態を詳細に説明する。
【実施例１】
【０００７】
図１は本考案に係る足浴器用ポンプの構造の第１実施例を示す要部の分解斜視図であり、本考案の足浴器用ポンプの構造は、下蓋1と、回転ディスク２と、上蓋３と、モータ４とから構成されたものである。
【０００８】
前記下蓋１は、一体成形された下蓋体１１であり、前記下蓋体１１の内部には窪み１２が設けてある。前記窪み１２の内部には止め片１２１が複数個所に設けてあり、前記止め片１２１の中央には貫通した流通孔１２２が開設してあり、その外周面には固定孔１３が複数個所に設けてある。前記固定孔１３にボルト１４を挿通させ、上蓋３にある固定用突起３８に螺着することができるようになっている。前記下蓋１の側端には流体の流路となる下半円形孔１５が設けてある。
【０００９】
前記回転ディスク２は、下蓋体１１及び上蓋体３１間に形成された内部空間に設置される、反転した山状を呈するディスク体２１であり、前記ディスク体２１の下面には長羽根２２と短羽根２３とが交互に配列してあり、その中心の最底部となる箇所に突起２４が形成されていて、下蓋１にある窪み１２内に挿入することができるようになっている。
【００１０】
前記上蓋３は、一体成形される上蓋体３１であり、その内部の下端には、収容された流体が流動可能となる裏溝３２が設けてある。前記裏溝３２の内部には一つの突起部３３が設けてあり、前記突起部３３の中心には貫通孔３４が開設してあり、前記貫通孔３４の周囲には楕円形孔３５が複数個所に設けてある。前記裏溝３２の側端には上半円形孔３６が設けてある。上蓋３と下蓋１とが相互に合わされたとき、上蓋３の上半円形孔３６と下蓋１の下半円形孔１５とが結合され、円形断面の流路になる。
また、上蓋体３１には下蓋体１１の上端にある溝と嵌合するための筋状突起３７が設けてあり、前記上蓋３の外端には下蓋１にある固定孔１３と螺合し固定するための固定用突起３８が複数に設けてある。
【００１１】
前記モータ４は、駆動部４１の下端に小突起４２とシャフト４３とが設けてあり、前記駆動部４１の下端が上蓋体３１の内部に嵌め込まれると、小突起４２が上蓋３にある貫通孔３４と嵌合し、更に、シャフト４３が回転ディスク２にあるディスク体２１の内部に固定されるようになり、これにより、モータ４が駆動すると、ディスク体２１がシャフト４３と同期に回転するようになる。
【００１２】
本考案の組み立て作業は、図１に示すように、上蓋体３１の内部の上端に駆動部４１を挿通させて、小突起４２を上蓋３にある貫通孔３４と嵌合させると、シャフト４３が回転ディスク２にあるディスク体２１の内部に固定され、これにより、ディスク体２１がシャフト４３と同期に回転するようになる。固定孔１３と固定用突起３８とをボルト１４によって螺着することにより下蓋体１１をカバーすると、下蓋体１１と上蓋体３１とが結合され、ディスク体２１が下蓋体１１と上蓋体３１との間の内部空間に収容され、そこで回転することができるようになる。
【００１３】
駆動部４１が回転すると、反転した山状を呈するディスク体２１も回転して、前記ディスク体２１の下面に交互に配列した長羽根２２と短羽根２３とが、流体を上，下半円形孔３６，１５で構成された流路開口へ流動させると共に、下蓋体１１の下端側の流体も駆動されて、流通孔１２２を経由して内部に流入して流路より噴出され、水盛り容器内１００に戻り、再循環される。
【００１４】
前記駆動部４１の先端部が上蓋体３１に覆われる構成にしたことにより、駆動部４１が回転するときの騒音が低減されると共に、反転した山状を呈するディスク体２１が回転してディスク体２１に配設された長羽根２２と短羽根２３とが下蓋１及び上蓋３間に形成された空間内部にある流体と接触する時の騒音も低減される。
【実施例２】
【００１５】
図４及び図５は、本考案に係る足浴器用ポンプの構造の第２実施例を示す要部の分解斜視図及び組み立て斜視図である。
この第２実施例において、前述の第１実施例と異なる点は、上蓋３と下蓋１に設けた前記上半円形孔３６及び下蓋１に設けた下半円形孔１５と結合して形成される円形断面の流路を２個設けた点にあり、これ以外の構成は前述の第１実施例と同様であるため、同一部分には同一符号を付してその説明を省略する。
【００１６】
前記構成の第２実施例によれば、円形断面の流路を２個設けることで、２箇所で按摩を実施することができ、且つ騒音も大幅に低減になる。
【図面の簡単な説明】
【００１７】
【図１】本考案の足浴器用ポンプの構造の第１実施例を示す要部の分解斜視図ある。
【図２】図１に係る本考案の足浴器用ポンプの構造の組み立て斜視図である。組合状態を示す斜視図である。
【図３】本考案に係るポンプの構造を足浴器に組み立てる順序を示す概略図である。
【図４】本考案の足浴器用ポンプの構造の第２実施例を示す要部の分解斜視図ある。
【図５】図４に係る本考案の足浴器用ポンプの構造の組み立て斜視図である。組合状態を示す斜視図である。
【符号の説明】
【００１８】
１        下蓋                  １１      下蓋体
１２      窪み                  １２１    止め片
１２２    流通孔                １３      固定孔
１４      ボルト                １５      下半円形孔
２        回転ディスク          ２１      ディスク体
２２      長羽根                ２３      短羽根
２４      突起                  ３        上蓋
３１      上蓋体                ３２      裏溝
３３      突起                  ３４      貫通孔
３５      長形孔                ３６      上半円形孔
３７      筋状突起              ３８      固定用突起
４        モータ                ４１      駆動部
４２      小突起                ４３      シャフト
１００    水盛り容器内    
【図１】
0003109237.tif 000003
【図２】
0003109237.tif 000004
【図３】
0003109237.tif 000005
【図４】
0003109237.tif 000006
【図５】
0003109237.tif 000007